(57)【要約】【課題】画像データの記憶時にグレー値データの記憶形式をユーザに選択させることができる画像処理装置を提供する。【解決手段】カラー画像データを取得する取得部と、取得部が取得したカラー画像データを１次モノクロ画像データに変換するモノクロ変換部と、１次モノクロ画像データのうち、異なる色でグレー値が同一であるかまたは近似している領域を、異なるグレー値に置換した２次モノクロデータに変換するグレー値変換部と、カラー画像データ、１次モノクロ画像データ、および２次モノクロ画像データを記憶する記憶部と、これらの画像データを出力する出力部とを備えてなり、記憶部がさらに、グレー値変換部による１次モノクロ画像データから２次モノクロ画像データへの変換の際に設定されるグレー設定値データをカラー画像データと併せて記憶する画像処理装置。【選択図】  図１
2015185884.tif 000002
【特許請求の範囲】
【請求項１】
濃度を表すグレー値情報および色を表す色情報が含まれるカラー画像データを取得するための取得部と、
この取得部が取得した前記カラー画像データを色情報が含まれずグレー値情報が含まれる１次モノクロ画像データに変換するためのモノクロ変換部と、
前記１次モノクロ画像データのうち、異なる色でグレー値が同一であるかまたは近似している領域を、異なるグレー値に置換した２次モノクロデータに変換するためのグレー値変換部と、
前記カラー画像データ、前記１次モノクロ画像データ、および前記２次モノクロ画像データを記憶するための記憶部と、
前記カラー画像データ、前記１次モノクロ画像データ、および前記２次モノクロ画像データを出力するための出力部と
を備えてなり、
前記記憶部がさらに、前記グレー値変換部による前記１次モノクロ画像データから前記２次モノクロ画像データへの変換の際に設定されるグレー設定値データを前記カラー画像データと併せて記憶する
ことを特徴とする画像処理装置。
【請求項２】
前記グレー値変換部が、前記１次モノクロ画像データを前記グレー設定値データに基づいて再変換し、前記出力部が、再変換により得られた画像データを出力する請求項１に記載の画像処理装置。
【請求項３】
前記記憶部が記憶する前記カラー画像データと前記グレー設定値データ、前記１次モノクロ画像データ、および前記２次モノクロ画像データのうちのいずれかのデータ記憶形式を認証ユーザに選択させるための選択部をさらに備え、前記記憶部が、前記選択部により選択された前記データ記憶形式を記憶する請求項１に記載の画像処理装置。
【請求項４】
前記選択部が、前記データ記憶形式を前記認証ユーザの認証基準に応じて選択することのできる選択肢を有している請求項３に記載の画像処理装置。
【請求項５】
前記記憶部が、前記データ記憶形式のそれぞれに対応する記憶先フォルダをさらに備え、前記選択部によって選択された前記データ記憶形式を前記認証基準に基づいて前記記憶先フォルダへ自動的に振り分けて記憶する請求項４に記載の画像処理装置。
【発明の詳細な説明】
【技術分野】
【０００１】
この発明は、画像処理装置に関し、特に、カラー画像データをモノクロ画像データに変換して出力（印刷／コピー）する画像処理装置に関する。
【背景技術】
【０００２】
従来、ＲＧＢ（赤、緑、青）情報からなるカラー画像データをグレー値情報からなるモノクロ画像データに変換して出力する画像処理装置としては、例えば特許文献１に記載されたものが知られている。
【０００３】
特許文献１に記載された画像処理装置は、カラー画像データをモノクロ画像データに変換する際に、異なる色でグレー値（グレー濃度）が同一になる２つの色データのいずれか一方のグレー値を変更して設定するグレー値変換手段を備えている。
【０００４】
このような画像処理装置によれば、出力手段としてのモノクロプリンタ／コピー機を有する装置やシステムによってカラー画像をモノクロ出力した場合に、記載内容を理解することが容易な印刷物／コピー物を得ることができる。
【先行技術文献】
【特許文献】
【０００５】
【特許文献１】特開２０００−５００９８号公報
【発明の概要】
【発明が解決しようとする課題】
【０００６】
しかしながら、グレー値変換したデータを印刷／コピーだけでなくさまざまな用途に活用することができればユーザにとって利便性が高いが、現状ではそのような装置は提案されていない。
【０００７】
このため、モノクロ変換やグレー値変換を行って保存（記憶）した画像データを再び利用（再生、出力、送信など）する際に、変換により得られたグレー値を再度変更したりその設定を外したりしたいというユーザなどの要望に応えることができなかった。
【０００８】
この発明は、このような実情を考慮してなされたものであり、画像データの記憶時にグレー値データの記憶形式をユーザに選択させることができる画像処理装置を提供することを目的とする。
【課題を解決するための手段】
【０００９】
この発明によれば、濃度を表すグレー値情報および色を表す色情報が含まれるカラー画像データを取得するための取得部と、この取得部が取得した前記カラー画像データを色情報が含まれずグレー値情報が含まれる１次モノクロ画像データに変換するためのモノクロ変換部と、前記１次モノクロ画像データのうち、異なる色でグレー値が同一であるかまたは近似している領域を、異なるグレー値に置換した２次モノクロデータに変換するためのグレー値変換部と、前記カラー画像データ、前記１次モノクロ画像データ、および前記２次モノクロ画像データを記憶するための記憶部と、前記カラー画像データ、前記１次モノクロ画像データ、および前記２次モノクロ画像データを出力するための出力部とを備えてなり、前記記憶部がさらに、前記グレー値変換部による前記１次モノクロ画像データから前記２次モノクロ画像データへの変換の際に設定されるグレー設定値データを前記カラー画像データと併せて記憶することを特徴とする画像処理装置が提供される。
【発明の効果】
【００１０】
この発明の画像処理装置は、取得部が取得したカラー画像データ（グレー値情報および色情報が含まれる）をモノクロ変換部がモノクロ変換によって１次モノクロ画像データ（色情報が含まれずグレー値情報が含まれる）に変換する。また、その１次モノクロ画像データのうち、異なる色でグレー値が同一であるかまたは近似している領域を、異なるグレー値に置換した２次モノクロデータにグレー値変換部が変換する。そして、カラー画像データ、１次モノクロ画像データ、および２次モノクロ画像データを記憶部が記憶する。出力部はカラー画像データ、１次モノクロ画像データ、および２次モノクロ画像データを出力する。記憶部はさらに、グレー値変換部による１次モノクロ画像データから２次モノクロ画像データへの変換の際に設定されるグレー設定値データをカラー画像データと併せて記憶する。
【００１１】
上記のように構成されたこの発明の画像処理装置によれば、１回のカラー画像データの取得（カラー原稿読み取り）で、出力部での１次モノクロ画像データまたは２次モノクロデータの出力（印刷／コピー）とともに、記憶部によるカラー画像データおよびグレー設定値データの記憶を併せて行うことができる。
【００１２】
すなわち、この発明の画像処理装置によれば、カラー画像データの取得の回数を減らすことが可能になるとともに、いったん取得した画像データを再利用（再出力および再変換）することができ、再利用時にユーザにグレー値変換の便益を提供することが可能になる。さらに、カラー原稿読み取りの回数を減らすことで、ユーザの手間や原稿の損傷を軽減することができる。
【００１３】
次に、この発明の画像処理装置のより好ましい態様について説明する。
【００１４】
（１）この画像処理装置は、グレー値変換部が、１次モノクロ画像データをグレー設定値データに基づいて再変換し、出力部が、再変換により得られた画像データを出力するように構成されていてもよい。
【００１５】
このように構成されている場合には、画像データを再利用するユーザにとってグレー値変換されたデータが最善のものでない場合に、グレー値変換部がグレー設定値データに基づいて再変換した画像データを出力部によって出力することが可能になる。
【００１６】
（２）この画像処理装置は、記憶部が記憶するカラー画像データとグレー設定値データ、１次モノクロ画像データ、および２次モノクロ画像データのうちのいずれかのデータ記憶形式を認証ユーザに選択させるための選択部をさらに備え、記憶部が、選択部により選択されたデータ記憶形式を記憶するように構成されていてもよい。
【００１７】
このように構成されている場合には、画像データを再利用する認証ユーザは、その再利用の内容に応じて最善であろうと思われるデータ記憶形式を選択部によってあらかじめ選択し、そのデータ記憶形式を再利用のために記憶部に記憶しておくことが可能になる。
【００１８】
（３）この選択部は、データ記憶形式を認証ユーザの認証基準に応じて選択することのできる選択肢を有するものであってもよい。ここで、認証ユーザの認証基準とは例えば、上位ユーザのグループにあってはカラー画像データでもデータ記憶させることができるが、下位ユーザのグループにあっては１次モノクロ画像データでのみデータ記憶させることができるなどの基準をいう。
【００１９】
選択部が、認証ユーザの認証基準に応じてデータ記憶形式を選択することのできる選択肢を有するものである場合には、記憶部によるデータ記憶形式を認証ユーザのグループごとにカスタマイズすることができる。
【００２０】
（４）この記憶部は、データ記憶形式のそれぞれに対応する記憶先フォルダをさらに備え、選択部によって選択されたデータ記憶形式を認証基準に基づいて記憶先フォルダへ自動的に振り分けて記憶するように構成されていてもよい。
【００２１】
このように構成されている場合には、記憶先フォルダごとに異なるデータ記憶形式でデータを自動的に振り分けて記憶することが可能になる。
【図面の簡単な説明】
【００２２】
【図１】この発明の実施の形態１に係る画像処理装置の概略構成を示すブロック図である。
【図２】図１の画像処理装置の処理手順を示すフローチャートである。
【図３】この発明の実施の形態２に係る画像処理装置の概略構成を示すブロック図である。
【図４】この発明の実施の形態３に係る画像処理装置の処理手順を示すフローチャートである。
【発明を実施するための形態】
【００２３】
以下、この発明の実施の形態１〜４について図面を参照して説明する。
【００２４】
実施の形態１
図１は、この発明の実施の形態１に係る画像処理装置の概略構成を示すブロック図である。図１において、１００は実施の形態１に係る画像処理装置としてのＭＦＰ（Ｍｕｌｔｉ  Ｆｕｎｃｔｉｏｎ  Ｐｒｉｎｔｅｒ）である。
【００２５】
ＭＦＰ１００は、画像取得部１０１、出力部１０２、モノクロ変換部１０３、グレー値変換部１０４、操作・選択部１０５、制御部（ＣＰＵ）（Ｃｅｎｔｒａｌ  Ｐｒｏｃｅｓｓｉｎｇ  Ｕｎｉｔ）１０６、記憶部１０７、送信部１０８を備えてなる。制御部１０６は、画像取得部１０１、出力部１０２、モノクロ変換部１０３、グレー値変換部１０４、操作・選択部１０５、記憶部１０７、送信部１０８に接続されており、これらの画像取得部１０１〜送信部１０８を制御する。
【００２６】
画像取得部１０１は、カラースキャナから構成され、例えばＣＣＤ（Ｃｈａｒｇｅ  Ｃｏｕｐｌｅｄ  Ｄｅｖｉｃｅ）ラインセンサなどを含み、濃度を表すグレー値情報および色を表す色情報が含まれるカラー画像（文字、図形、絵、写真などのカラー原稿）からの反射光像をＲＧＢ（赤、緑、青）アナログ信号からなるカラー画像データとして取得する。
【００２７】
出力部１０２は、感光体ドラム、帯電器、現像器、転写器、現像器、給紙トレイ、排紙トレイなどから構成されている。出力部１０２は、下記モノクロ変換によって生成された１次モノクロ画像データまたは下記グレー値変換によって生成された２次モノクロ画像データの印刷／コピーを行う。
【００２８】
モノクロ変換部１０３は、画像取得部１０１が取得したカラー画像データをモノクロ変換によって色情報が含まれずグレー値情報が含まれる１次モノクロ画像データ（グレースケール画像データ）に変換する。カラー画像データから１次モノクロ画像データへのモノクロ変換は、カラー画像データのＲＧＢ情報に所定の係数を掛けることによって行われる。
【００２９】
例えば、ＲＧＢ形式のカラーで指定された色データをモノクロ出力する場合には、ＲＧＢ形式からグレースケールに濃度変換した後、いわゆる二値化法を用いて疑似階調出力するのが一般的である。そして、ＲＧＢ形式からグレースケール濃度への変換には、出力部１０２が疑似階調によりモノクロ１０００階調まで表現して印刷／コピーすることのできるものである場合、次のような式が用いられる。
【００３０】
【数１】
2015185884.tif 000003
【００３１】
数１において、ＲＧＢ各色は０〜１０００の範囲にある。
【００３２】
モノクロ変換により生成された１次モノクロ画像データは、出力部１０２によって出力（印刷／コピー）することができる。
【００３３】
グレー値変換部１０４は、モノクロ変換部１０３によって生成された１次モノクロ画像データのうち、異なる色でグレー値（グレー濃度）が同一であるかまたは近似している領域を、異なるグレー値に置換したモノクロデータ（２次モノクロ画像データ）に変換する。
【００３４】
すなわち、カラー画像データが境界で区切られた複数の領域を有し、領域ごとに異なる色が施されている場合に、そのカラー画像データをモノクロ画像として出力すると、モノクロ画像における各領域が色の違いではなく明るさの違い（濃度差）だけで表示される。このため、隣接する複数の領域の濃度差が小さいときには、これらの領域の境界を見分けることが困難になる。
【００３５】
そこで、この実施の形態１に係る画像処理装置としてのＭＦＰ１００は、モノクロ変換により得られた１次モノクロ画像データのモノクロ画像が、上記のような、隣接する複数の領域の境界を見分けることが困難な画像データであるか否かを判定する。
【００３６】
具体的には、制御部１０６によって、１次モノクロ画像データのモノクロ画像が隣接する複数の領域の境界を見分けることの困難なものであるか否かについて判定される。すなわち、制御部１０６は、カラー画像データの色差および濃度差に基づいて、隣接する領域どうしの分離を行い、１次モノクロ画像データにおける上記領域間の色差および濃度差を算出する。
【００３７】
記憶部１０７には上記領域間の色差および濃度差の閾値があらかじめ記憶されている。従って、制御部１０６は、算出された算出値と閾値とを比較することで、隣接する２つの領域の境界を識別することができるかどうかについて判定する。そして、算出値が閾値よりも小さい（２つの濃度が近い）場合には、制御部１０６は、隣接する２つの領域の境界を識別することができないと判定し、その結果を記憶部１０７に記憶する。算出値が閾値以上の場合には、隣接する２つの領域の境界を識別することができると判定し、その結果を記憶部１０７に記憶する。
【００３８】
ここにおける閾値は、グレー値変換部１０４によるグレー値変換が行われる前の上記１次モノクロ画像データのグレー値と、グレー値変換が行われた後の上記２次モノクロ画像データのグレー値との差に対応する。
【００３９】
図１において、操作・選択部１０５には、液晶ディスプレイ（ＬＣＤ）からなる表示部と、タッチパネルおよびスイッチなどからなる操作インターフェイス部とが含まれている。この操作・選択部１０５には、ユーザの要望に応じるための複数の選択肢が表示されるようになっている。記憶部１０７には、グレー値変換部１０４による上記１次モノクロ画像データから上記２次モノクロ画像データへの変換の際に設定されるグレー設定値データを上記閾値として記憶するための部分（図示略）に加えて、上記のカラー画像データ、１次モノクロ画像データ、２次モノクロ画像データを記憶するための画像データ部分１０９が含まれている。
【００４０】
送信部１０８は、記憶部１０７の画像データ部分１０９に記憶された上記のカラー画像データ、グレー設定値データ、１次モノクロ画像データ、２次モノクロ画像データを、このＭＦＰ１００の外部における通信装置であって、ＭＦＰ１００との間で通信可能に有線／無線接続されるパーソナルコンピュータ、プリンタ、タブレット、スマートフォンなどの外部通信装置へ送信するための部分である。
【００４１】
操作・選択部１０５は、ユーザが操作して上記選択肢のうちの１つを選択することで、画像取得部１０１による画像取得、出力部１０２による出力、モノクロ変換部１０３によるモノクロ変換、グレー値変換部１０４によるグレー値変換、記憶部１０７による記憶、送信部１０８による送信の各操作を実行させるための部分である。操作・選択部１０５はまた、記憶部１０７に記憶されたカラー画像データ、グレー設定値データ、１次モノクロ画像データ、または２次モノクロ画像データのうちのいずれかのデータ記憶形式を認証ユーザに選択させて送信部１０８による送信を実行させるための部分でもある。
【００４２】
上記のように構成されたＭＦＰ１００の画像処理手順を、図２に示すフローチャートを参照しながら、以下説明する。
【００４３】
ユーザがカラー原稿を画像取得部１０１としてのカラースキャナにより読み取ってモノクロコピーすることを意図するとき、ユーザは、ステップＳ１００において、操作・選択部１０５を操作して出力部１０２による出力としてのモノクロコピージョブを実行することを選択する。このとき、「グレー値変換機能を付加してコピージョブ時に画像データを記憶するか否か」についての判断を行うことができる。
【００４４】
そして、ユーザが「ＹＥＳ」と判断して操作・選択部１０５を操作すると、３つの選択肢であるステップＳ１０１、ステップＳ１０４、およびステップＳ１０６の各内容が操作・選択部１０５に表示される。
【００４５】
一方、ステップＳ１００において、ユーザが「ＮＯ」と判断して操作・選択部１０５を操作すると、次のような処理が行われる。
【００４６】
画像取得部１０１が上記カラー原稿から取得したカラー画像データがモノクロ変換部１０３によってグレー値情報からなる１次モノクロ画像データに変換（モノクロ変換）される。次いで、その１次モノクロ画像データについて出力部１０２による出力としての１次モノクロコピージョブが実行される。そして、処理は終了する。
【００４７】
ステップＳ１０１において、ユーザがその内容である「カラー画像データおよびグレー設定値を記憶するか否か」の表示を選択し、「ＹＥＳ」と判断して操作・選択部１０５を操作した場合にはまず、モノクロ変換部１０３によって上記モノクロ変換が実行されて、１次モノクロ画像データが得られる。
【００４８】
次いで、この１次モノクロ画像データのうち、異なる色でグレー値（グレー濃度）が同一であるかまたは近似している領域が、グレー値変換部１０４によって、異なるグレー値に置換されたモノクロデータ（２次モノクロ画像データ）に変換（グレー値変換）される。また、記憶部１０７が、カラー画像データを記憶するとともに、グレー値変換部１０４による上記１次モノクロ画像データから上記２次モノクロ画像データへの変換の際に設定されるグレー設定値データを上記閾値として記憶する。そして、その２次モノクロ画像データについて出力部１０２による出力としての２次モノクロコピージョブが実行される。その後、処理はステップＳ１０２へ進む。
【００４９】
一方、ステップＳ１０１において、ユーザが「ＮＯ」と判断して操作・選択部１０５を操作した場合には、グレー値変換部１０４によるグレー値変換は実行されず、従って、記憶部１０７によるカラー画像データおよびグレー設定値の記憶も実行されず、その後の処理は終了する。
【００５０】
ステップＳ１０２において、ユーザがその内容である「記憶した画像データのグレー設定値を再変換するか否か」の表示を見て、「ＹＥＳ」と判断して操作・選択部１０５を操作した場合には、ステップＳ１０３へ進む。
【００５１】
一方、ステップＳ１０２において、ユーザが「ＮＯ」と判断して操作・選択部１０５を操作した場合には、記憶した画像データのグレー設定値が再変換されることなく、出力部１０２による出力としてのコピージョブが実行される。
【００５２】
ステップＳ１０３において、ユーザがその内容である「記憶・再変換した画像データを印刷実行するか否か」の表示を見て、「ＹＥＳ」と判断して操作・選択部１０５を操作した場合には、記憶部１０７が記憶したカラー画像データおよびグレー設定値に基づいてグレー値変換部１０４がグレー設定値の再変換を行う。次いで、グレー設定値が再変換された画像データについて、出力部１０２による出力としての印刷が実行される。
【００５３】
一方、ステップＳ１０３において、ユーザが「ＮＯ」と判断して操作・選択部１０５を操作した場合には、グレー設定値が再変換された画像データについての印刷は実行されない。
【００５４】
次に、ステップＳ１０４において、ユーザがその内容である「グレー値変換後のモノクロデータを記憶するか否か」の表示を選択し、「ＹＥＳ」と判断して操作・選択部１０５を操作した場合には、以下のような処理が行われる。
【００５５】
すなわち、グレー値変換部１０４によってグレー値変換が実行され、２次モノクロ画像データが得られる。そして、記憶部１０７が、この２次モノクロ画像データを記憶する。また、その２次モノクロ画像データについて出力部１０２による出力としての２次モノクロコピージョブが実行される。その後、処理はステップＳ１０５へ進む。
【００５６】
一方、ステップＳ１０４において、ユーザが「ＮＯ」と判断して操作・選択部１０５を操作した場合には、グレー値変換部１０４によるグレー値変換は実行されず、従って、記憶部１０７による２次モノクロデータの記憶も実行されず、その後の処理は終了する。
【００５７】
ステップＳ１０５において、ユーザがその内容である「記憶した画像データを印刷実行するか否か」の表示を選択し、「ＹＥＳ」と判断して操作・選択部１０５を操作した場合には、記憶部１０７によって記憶された２次モノクロデータについて、出力部１０２による出力としての印刷が実行される。
【００５８】
一方、ステップＳ１０５において、ユーザが「ＮＯ」と判断して操作・選択部１０５を操作した場合には、記憶された２次モノクロデータについての印刷は実行されず、その後の処理は終了する。
【００５９】
次に、ステップＳ１０６において、ユーザがその内容である「グレー値変換しないモノクロデータを記憶するか否か」の表示を選択し、「ＹＥＳ」と判断して操作・選択部１０５を操作した場合には、グレー値変換が実行される。次いで、出力部１０２による出力としての上記２次モノクロコピージョブが実行される。また、グレー値変換しないモノクロ原稿のデータである上記１次モノクロ画像データが記憶部１０７によって記憶される。その後、処理はステップＳ１０７へ進む。
【００６０】
一方、ステップＳ１０６において、ユーザが「ＮＯ」と判断して操作・選択部１０５を操作した場合には、グレー値変換部１０４によるグレー値変換は実行されるが、グレー値変換しないモノクロ画像データである上記１次モノクロ画像データの記憶は実行されず、その後の処理は終了する。
【００６１】
ステップＳ１０７において、ユーザがその内容である「記憶した画像データを印刷実行するか否か」の表示を選択し、「ＹＥＳ」と判断して操作・選択部１０５を操作した場合には、記憶部１０７によって記憶された１次モノクロデータについて、出力部１０２による出力としての印刷が実行される。
【００６２】
一方、ステップＳ１０７において、ユーザが「ＮＯ」と判断して操作・選択部１０５を操作した場合には、記憶された１次モノクロデータについての印刷は実行されず、その後の処理は終了する。
【００６３】
実施の形態２
図３は、この発明の実施の形態２に係る画像処理装置の概略構成を示すブロック図である。図３において、２００は実施の形態２に係る画像処理装置としてのＰＣ（Ｐｅｒｓｏｎａｌ  Ｃｏｍｐｕｔｅｒ：パーソナルコンピュータ）である。
【００６４】
ＰＣ２００は、第１取得部２０１、出力部２０２、制御部（ＣＰＵ）２０３、記憶部２０４、送信部２０５、および第２取得部２０６を備えてなる。また、制御部２０３は、プリンタドライバ２０７、モノクロ変換プログラム２０８、およびグレー値変換プログラム２０９を備えてなる。
【００６５】
第１取得部２０１は、ＰＣ２００の外部に設けられた画像取得部としてのカラースキャナ２１０に接続されており、カラースキャナ２１０を介して、カラー画像からの反射光像をＲＧＢアナログ信号からなるカラー画像データとして取得する。第２取得部２０６は、ＰＣ２００に設けられたカラースキャナから構成され、カラー画像からカラー画像データを取得する。
【００６６】
出力部２０２は、ＰＣ２００の外部に設けられた出力部としてのモノクロプリンタ２１１に接続されており、プリンタドライバ２０７で駆動制御されるモノクロプリンタ２１１によって、実施の形態１において説明した１次モノクロ画像データまたは２次モノクロ画像データの印刷／コピーを行う。
【００６７】
制御部２０３は、第１取得部２０１、第２取得部２０６、出力部２０２、ＰＣ２００の外部に設けられた表示デバイスとしてのＬＣＤ２１２、ＰＣ２００の外部に設けられた入力デバイスとしてのキーボード２１３、記憶部２０４、送信部２０５に接続されており、これらの第１取得部２０１〜送信部２０５を制御する。
【００６８】
記憶部２０４には、実施の形態１において説明した閾値を記憶するための部分（図示略）に加えて、上記のカラー画像データ、グレー設定値データ、１次モノクロ画像データ、２次モノクロ画像データを記憶するための画像データ部分２１４が含まれている。
【００６９】
送信部２０５は、記憶部２０４の画像データ部分２１４に記憶された上記のカラー画像データ、グレー設定値データ、１次モノクロ画像データ、２次モノクロ画像データを、このＰＣ２００の外部における通信装置であって、ＰＣ２００との間で通信可能に有線／無線接続されるパーソナルコンピュータ、プリンタ、タブレット、スマートフォンなどの外部通信装置へ送信するためのものである。
【００７０】
上記のように構成されたＰＣ２００の画像処理手順は、実施の形態１において説明した処理手順と実質的に同一であるので、説明を省略する。
【００７１】
実施の形態３
図４は、この発明の実施の形態３に係る画像処理装置の処理手順を示すフローチャートである。
【００７２】
実施の形態３に係る画像処理装置の構成は、実施の形態１に係る画像処理装置としてのＭＦＰ１００と実質的に同一である。実施の形態３に係るＭＦＰの画像処理手順を、図４に示すフローチャートを参照しながら、以下説明する。
【００７３】
図４において、ユーザがカラー原稿を画像取得部としてのカラースキャナにより読み取ってモノクロコピーすることを意図するとき、ユーザは、ステップＳ４００において、出力部による出力としてのモノクロコピージョブを実行することを選択する。このとき、「グレー値変換を実行し、同時にデータ記憶するか否か」についての判断を行うことができる。
【００７４】
そして、ユーザが「ＹＥＳ」と判断すると、次の段階へ進む。
【００７５】
一方、ユーザが「ＮＯ」と判断すると、グレー値変換の実行およびデータ記憶は行われず、その後の処理は終了する。
【００７６】
ステップＳ４００においてユーザが「ＹＥＳ」と判断すると、「認証ユーザの設定を取得」することを要求される。この要求に応じて、ユーザが認証ユーザの設定であるデータ記憶形式（上記のカラー画像データとグレー設定値データ、１次モノクロ画像データ、および２次モノクロ画像データのうちのいずれかのデータ記憶形式）を取得すると、グレー値変換が実行される。
【００７７】
次いで、認証ユーザの設定に基づいて、グレー値変換部によるグレー値変換、出力部によるコピー、および記憶部による記憶が実行される。
【００７８】
この発明の好ましい態様には、上述した複数の態様のうちのいずれかを組み合わせたものも含まれる。
【００７９】
上述した実施の形態の他にも、この発明について種々の変形例があり得る。それらの変形例は、この発明の範囲に属さないと解されるべきではない。この発明には、特許請求の範囲と均等の意味での、また上記範囲内でのすべての変形が含まれるべきである。
【符号の説明】
【００８０】
１００：ＭＦＰ（画像処理装置）
１０１：画像取得部
１０２：出力部
１０３：モノクロ変換部
１０４：グレー値変換部
１０５：操作・選択部
１０６：制御部
１０７：記憶部
１０８：送信部
１０９：画像データ部分
２００：ＰＣ（画像処理装置）
２０１：第１取得部
２０２：出力部
２０３：制御部
２０４：記憶部
２０５：送信部
２０６：プリンタドライバ
２０７：第２取得部
２０８：モノクロ変換プログラム
２０９：グレー値変換プログラム
２１０：カラースキャナ（画像取得部）
２１１：モノクロプリンタ（出力部）
２１２：表示デバイス
２１３：入力デバイス
【図１】
2015185884.tif 000004
【図２】
2015185884.tif 000005
【図３】
2015185884.tif 000006
【図４】
2015185884.tif 000007